(57)【要約】【課題】簡単な構造でコンセントのトラッキング検出機能の良否を確認することができるトラッキング検出機能付きコンセント用検査器を提供する。【解決手段】トラッキング検出機能付きコンセント用検査器１は、絶縁性のケースの前面に設けられて電気機器のプラグの一対の栓刃が挿入可能な差込口と、差込口間に形成された透孔と、透孔に臨むようにケースの内部に配設され、差込口に挿入されたプラグの栓刃間に発生する火花放電を検知するセンサとを備えたコンセントのトラッキング検出機能を検査するために、差込口に挿入可能な１対の栓刃１３，１３と、透孔に挿通されてセンサに接触可能なピン１４と、一方の栓刃１３とピン１４の間に電気的に接続される抵抗器１５と、抵抗器１５を内蔵するとともに栓刃１３，１３とピン１４とを一側面から突出させて成る器体１２とで構成する。【選択図】図１
2006048965.tif 000002
【特許請求の範囲】
【請求項１】
絶縁性のケースの前面に設けられて電気機器のプラグの一対の栓刃が挿入可能な差込口と、該差込口間に形成された透孔と、該透孔に臨むように前記ケースの内部に配設され、前記差込口に挿入されたプラグの栓刃間に発生する火花放電を検知するセンサとを備えたコンセントのトラッキング検出機能の良否を確認するための検査器であって、前記差込口に挿入可能な少なくとも１つの栓刃と、前記透孔に挿通されて前記センサに接触可能なピンと、前記栓刃の１つと前記ピンの間に電気的に接続される抵抗器と、該抵抗器を内蔵するとともに前記栓刃と前記ピンとを一側面から突出させて成る器体とで構成したことを特徴とするトラッキング検出機能付きコンセント用検査器。
【発明の詳細な説明】
【技術分野】
【０００１】
本発明は、コンセントのトラッキング検出機能が正常に動作するかどうかを確認するための検査器に関する。
【背景技術】
【０００２】
従来、トラッキングを検出する機能を備えたコンセントしては特許文献１に示すものがあった。特許文献１はコンセント前面の差込口間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。しかしながら、このコンセントはトラッキングに至る前に発生する火花放電を検出するセンサである導電板がコンセント表面に露出しているため、導電性のものが接触した際に誤動作する虞があったし、プラグ利用者の手等が接触することも考えられ、好ましいものではなかった。そこで、本出願人はこれを解決するコンセントとして特願２００３−１５７０７０を提案している。このコンセントは差込口間に透孔を穿設し、センサを透孔に臨むようにしてケースの内部に配設しており、差込口に挿入接続されたプラグの栓刃間に火花放電が発生すると、火花放電は透孔から進入してセンサにより検出されるようになっている。
【０００３】
【特許文献１】特開２００１−３５５９９号公報
【発明の開示】
【発明が解決しようとする課題】
【０００４】
しかしながら、このコンセントのトラッキング検出機能が正常に動作するかどうかを確認するための検査器はなかった。
【課題を解決するための手段】
【０００５】
本発明は、絶縁性のケースの前面に設けられて電気機器のプラグの一対の栓刃が挿入可能な差込口と、差込口間に形成された透孔と、透孔に臨むようにケースの内部に配設され、差込口に挿入されたプラグの栓刃間に発生する火花放電を検知するセンサとを備えたコンセントのトラッキング検出機能の良否を確認するための検査器であって、差込口に挿入可能な少なくとも１つの栓刃と、透孔に挿通されてセンサに接触可能なピンと、栓刃の１つとピンの間に電気的に接続される抵抗器と、抵抗器を内蔵するとともに栓刃とピンとを一側面から突出させて成る器体とで構成したことを特徴とする。
【発明の効果】
【０００６】
本発明のトラッキング検出機能付きコンセント用検査器は、簡単な構造でコンセントのトラッキング検出機能の良否を確認することができるという効果がある。
【発明を実施するための最良の形態】
【０００７】
トラッキング検出機能付きコンセント用検査器は、絶縁性のケースの前面に設けられて電気機器のプラグの一対の栓刃が挿入可能な差込口と、差込口間に形成された透孔と、透孔に臨むようにケースの内部に配設され、差込口に挿入されたプラグの栓刃間に発生する火花放電を検知するセンサとを備えたコンセントのトラッキング検出機能を検査するために、差込口に挿入可能な１対の栓刃と、透孔に挿通されてセンサに接触可能なピンと、一方の栓刃とピンの間に電気的に接続される抵抗器と、抵抗器を内蔵するとともに栓刃とピンとを一側面から突出させて成る器体とで構成する。
【実施例１】
【０００８】
本発明に係るトラッキング検出機能付きコンセント用検査器の実施例１を図１〜図３の添付図面に基づいて説明する。
【０００９】
トラッキング検出機能を有するコンセント１は、絶縁性のケース２の前面に電気機器のプラグの一対の栓刃（図示せず）が挿入可能な差込口３，３が設けられ、差込口３，３の略中間位置に透孔４が形成され、差込口３，３に挿入接続されたプラグの栓刃間に発生する火花放電を検知するセンサ５が透孔４に臨むようにケース２の内部に配設されて成っている。
【００１０】
コンセントのトラッキング検出動作を説明すると、差込口３，３に挿入接続されたプラグの栓刃間に埃等が溜まり空気中の湿気を吸収することにより水分を介して栓刃間に微小な電流が流れ、その電荷を帯びた水分が気化して火花放電が発生する。そして、火花放電が透孔４から進入してセンサ５に接触するとセンサ５に微小な電流が流れ、この微小な電流をコンセント１の内部に設けられたトラッキング検出回路（図示せず）が検出することによってトラッキングが検出されるようになっている。
【００１１】
このコンセント１のトラッキング検出機能の良否を検査するための検査器１１は、絶縁性の器体１２の一側面にコンセント１の差込口３、３に挿入可能な栓刃１３，１３と、コンセント１の透孔４に挿通されてセンサ５に接触可能なピン１４とが突設され、器体１２の内部に一方の栓刃１３とピン１４の間に電気的に接続された抵抗器１５が設けられて成っている。
【００１２】
検査器６の使用方法は、まず、コンセント１の差込口３，３に検査器１１の栓刃１３，１３を中程まで差し込む。これで検査器１１の位置決めがほぼされるが、コンセント１の透孔４に検査器１１のピン１４の位置が一致することを確認して更に器体１２がコンセント１の表面に当接するまで差し込む。これにより、ピン１４が透孔４に挿通してセンサ５に接触する。コンセント１の差込口３，３に検査器１１の栓刃１３，１３が差込接続された上でコンセント１のセンサ５に検査器１１のピン１４が接触することにより、コンセント１の差込口３から検査器１１の抵抗器１５を介してコンセント１のセンサ５に電流が流れる。従って、この電流がトラッキング検出回路によって検出されることとなり、トラッキング検出回路が、例えば、ブレーカ６を動作させたり、警報ランプ７を点灯させたり、外部に信号を出力すること等により、トラッキング検出機能が正常に動作するかどうかを確認することができる。
【００１３】
尚、実施例において検査器の栓刃は２つであるが、使用時に栓刃の他方には電流が流れないため、栓刃を１つだけにしても問題はない。また、トラッキング検出機能付きコンセント用検査器の形状について本発明の趣旨を逸脱しない範囲において適宜に変更して実施することも可能である。
【図面の簡単な説明】
【００１４】
【図１】本発明に係るトラッキング検出機能付きコンセント用検査器により検査されるコンセントの正面図である。
【図２】本発明に係るトラッキング検出機能付きコンセント用検査器を示す平面図である。
【図３】図２の背面図である。
【符号の説明】
【００１５】
１    トラッキング検出機能付きコンセント用検査器
２    ケース
３    差込口
４    透孔
５    センサ
１１    検査器
１２    器体
１３    栓刃
１４    ピン
１５    抵抗器
【図１】
2006048965.tif 000003
【図２】
2006048965.tif 000004
【図３】
2006048965.tif 000005